(57)【要約】【課題】炊飯器の操作使用時に液晶表示装置の駆動電圧を発生する液晶電源手段を構成する分圧抵抗の抵抗値を小さくし、液晶表示装置の表示をムラなく鮮明に表示させる。【解決手段】分圧抵抗９に抵抗２５とフォトカプラ２６の出力端子を直列に接続した回路を並列接続し、分圧抵抗１０に抵抗２７とフォトカプラ２８の出力端子を直列に接続した回路を並列接続し、分圧抵抗１１に抵抗２９とフォトカプラ３０の出力端子を直列に接続した回路を並列接続し、分圧抵抗９、１０、１１を直列に接続することにより、第１の電源手段８に電力を供給している間は、分圧抵抗９と分圧抵抗１０と分圧抵抗１１にはそれぞれ、抵抗２５と抵抗２７と抵抗２９が並列に接続され、第２の電源手段７からの出力電圧Ｖ３を分圧する分圧抵抗の抵抗値は、ほぼ抵抗２５と抵抗２７と抵抗２９の抵抗値となる構成とする。【選択図】図１
2006326142.tif 000002
【特許請求の範囲】
【請求項１】
鍋を加熱する加熱手段と、前記加熱手段を駆動する加熱駆動手段と、炊飯器の動作を制御するマイクロコンピュータと、炊飯器の動作状態を表示する液晶表示装置と、商用交流電源を直流電圧に変換し少なくとも前記マイクロコンピュータに電力を供給する第１の電源手段と、前記第１の電源手段の出力に接続され前記液晶表示装置を駆動する電源を発生する第２の電源手段と、前記第２の電源手段の出力電圧を、抵抗とスイッチ素子の直列回路を並列に接続した略等しい抵抗を少なくとも３個以上直列に接続して分圧し、その分圧した電圧を液晶表示装置の駆動電圧として前記マイクロコンピュータに供給する液晶電源手段と、商用電源が無いときに少なくとも前記マイクロコンピュータと前記第２の電源手段に逆流防止手段を介して前記第１の電源手段より低い電圧で電力を供給するバックアップ手段とを備え、前記スイッチ素子は、前記第１の電源手段から前記第２の電源手段への電力の供給がない状態では非通電状態になるようにした炊飯器。
【請求項２】
鍋を加熱する加熱手段と、前記加熱手段を駆動する加熱駆動手段と、炊飯器の動作を制御するマイクロコンピュータと、炊飯器の動作状態を表示する液晶表示装置と、商用交流電源を直流電圧に変換し少なくとも前記マイクロコンピュータに電力を供給する第１の電源手段と、前記第１の電源手段の出力電圧を、抵抗とスイッチ素子の直列回路を並列に接続した略等しい分圧抵抗を少なくとも３個以上直列に接続して分圧し、その分圧した電圧を液晶表示装置の駆動電圧として前記マイクロコンピュータに供給する液晶電源手段と、前記第１の電源手段に接続され前記第１の電源手段からの電力を充電し、商用電源が無いときに少なくとも前記マイクロコンピュータと前記液晶電源手段に電力を供給する電圧保持手段とを備え、前記スイッチ素子は、前記第１の電源手段から前記液晶電源手段への電力の供給がない状態では非通電状態になるようにした炊飯器。
【請求項３】
第１の電源手段は、少なくとも前記マイクロコンピュータに電力を供給する出力電圧Ｖ１と少なくとも前記加熱駆動手段に電力を供給する出力電圧Ｖ２を出力する構成とし、前記スイッチ素子は、前記第１の電源手段のＶ２出力から電力を供給するように接続され、第１の電源手段のＶ２出力からの電力の供給があると通電状態になり、電力の供給がなくなると非通電状態となるようにした請求項１または２に記載の炊飯器。
【請求項４】
商用交流電源の停電を検知する停電検知手段を備え、前記マイクロコンピュータは停電検知手段の出力に応じて前記スイッチ手段を通電もしくは非通電状態に制御するようにした請求項１または２に記載の炊飯器。
【請求項５】
スイッチ素子と直列に接続された抵抗は、並列に接続された分圧抵抗よりも抵抗値を小さくした請求項１〜４のいずれか１項に記載の炊飯器。
【発明の詳細な説明】
【技術分野】
【０００１】
本発明は、炊飯器の動作状態を表示する液晶表示装置とバックアップ機能のついた炊飯器に関するものである。
【背景技術】
【０００２】
従来、この種の炊飯器は、炊飯器の動作を制御するマイクロコンピュータと、炊飯器の動作状態を表示する液晶表示装置と、商用交流電源を直流電圧に変換し少なくとも前記マイクロコンピュータに電力を供給する第１の電源手段と、前記第１の電源手段の出力に接続され前記液晶表示装置を駆動する電源を発生する第２の電源手段と、前記第２の電源手段の出力電圧を、使用する液晶表示素子の特性に合わせて複数の分圧抵抗を直列接続して分圧し、その分圧した電圧を液晶表示装置の駆動電圧として前記マイクロコンピュータに供給する液晶電源手段と、商用電源が無いときに少なくとも前記マイクロコンピュータと前記液晶電源手段に逆流防止手段を介して前記第１の電源手段より低い電圧で電力を供給するバックアップ手段とを備え、第２の電源手段は、商用電源の有無に関係なく略一定の電圧を出力するようにしている（例えば、特許文献１参照）。
【０００３】
図４は、特許文献１に記載された従来の炊飯器のブロック図を示すものである。図４に示すように、１は炊飯器の動作を制御するマイクロコンピュータ、２は炊飯器の動作状態を表示する液晶表示装置、３は商用電源が無いときに少なくとも前記マイクロコンピュータ１に電力を供給するバックアップ用の電池、４はバックアップ用の電池３への充電を防止するための逆流防止手段となるダイオードで、前記電池３とともにバックアップ電源手段を構成している。５は液晶表示装置２の駆動電圧を減ずる減電圧手段、６は電圧低下検出手段を構成する電源電圧の検出手段で、前記減電圧手段５とともに第２の電源手段７（図示せず）を構成している。８は第１の電源手段を構成する第１の電源手段であり、マイクロコンピュータ１や電源電圧の検出手段６に電力を供給する。
【０００４】
９、１０、１１は抵抗値の定数が等しい分圧抵抗であり、第２の電源手段７で出力する液晶表示装置２を駆動する電圧を３等分し、その分圧電圧を液晶表示装置の駆動電圧として、マイクロコンピュータ１に供給する液晶電源手段を構成している。
【特許文献１】特許第３０１９０３３号公報
【発明の開示】
【発明が解決しようとする課題】
【０００５】
しかしながら、前記従来の構成では、停電が起きると第１の電源手段８からの出力はなくなるため、バックアップ用の電池３からダイオード４を介して分圧抵抗９、１０、１１に電力を供給することになり、バックアップ用の電池３の寿命を延ばすために分圧抵抗９、１０、１１の抵抗値を２００ｋΩ程度の大きい値にしている。
【０００６】
一方、液晶表示装置２をムラなく良好に駆動表示させるには、液晶表示装置２に印加する駆動波形をきれいな矩形波にする必要があり、前記液晶電源手段７の分圧抵抗は数ｋΩ（１ｋ〜２０ｋΩ）を推奨されているが、上記に述べたようにバックアップ用の電池３の寿命を優先するため、分圧抵抗９、１０、１１の抵抗値を小さくできないという課題を有していた。
【０００７】
本発明は、前記従来の課題を解決するもので、炊飯器の操作使用時に液晶電源手段を構成する分圧抵抗の抵抗値を小さくできる炊飯器を提供することを目的とする。
【課題を解決するための手段】
【０００８】
前記従来の課題を解決するために、本発明の炊飯器は、炊飯器の動作を制御するマイクロコンピュータと、炊飯器の動作状態を表示する液晶表示装置と、商用交流電源を直流電圧に変換し少なくとも前記マイクロコンピュータに電力を供給する第１の電源手段と、前記第１の電源手段の出力に接続され前記液晶表示装置を駆動する電源を発生する第２の電源手段と、前記第２の電源手段の出力電圧を、抵抗とスイッチ素子の直列回路を並列に接続した略等しい抵抗を少なくとも３個以上直列に接続して分圧し、その分圧した電圧を液晶表示装置の駆動電圧として、前記マイクロコンピュータに供給する液晶電源手段と、商用電源が無いときに少なくとも前記マイクロコンピュータと前記第２の電源手段に逆流防止手段を介して前記第１の電源手段より低い電圧で電力を供給するバックアップ手段とを備え、前記スイッチ素子は、前記第１の電源手段から前記第２の電源手段への電力の供給がない状態では、非通電状態になるようにしたものである。
【０００９】
これによって、商用電源から第１の電源手段に電力を供給している間は、スイッチ素子が通電状態になっているので分圧抵抗にはスイッチ素子と直列に接続している抵抗が並列に接続され、合成抵抗値は分圧抵抗だけの抵抗値よりも小さくできるようになる。
【発明の効果】
【００１０】
本発明の炊飯器は、炊飯器の操作使用時に液晶表示装置の駆動電圧を発生する液晶電源手段を構成する分圧抵抗の抵抗値を小さくし、液晶表示装置の表示をムラなく鮮明に表示させることができる。
【発明を実施するための最良の形態】
【００１１】
第１の発明は、鍋を加熱する加熱手段と、前記加熱手段を駆動する加熱駆動手段と、炊飯器の動作を制御するマイクロコンピュータと、炊飯器の動作状態を表示する液晶表示装置と、商用交流電源を直流電圧に変換し少なくとも前記マイクロコンピュータに電力を供給する第１の電源手段と、前記第１の電源手段の出力に接続され前記液晶表示装置を駆動する電源を発生する第２の電源手段と、前記第２の電源手段の出力電圧を、抵抗とスイッチ素子の直列回路を並列に接続した略等しい抵抗を少なくとも３個以上直列に接続して分圧し、その分圧した電圧を液晶表示装置の駆動電圧として前記マイクロコンピュータに供給する液晶電源手段と、商用電源が無いときに少なくとも前記マイクロコンピュータと前記第２の電源手段に逆流防止手段を介して前記第１の電源手段より低い電圧で電力を供給するバックアップ手段とを備え、前記スイッチ素子は、前記第１の電源手段から前記第２の電源手段への電力の供給がない状態では非通電状態になるようにすることにより、商用電源から第１の電源手段に電力を供給している間は、スイッチ素子が通電状態になっているので分圧抵抗にはスイッチ素子と直列に接続している抵抗が並列に接続され、合成抵抗値は分圧抵抗だけの抵抗値よりも小さくできるようになり、液晶表示装置の表示をムラなく鮮明に表示させることができる。
【００１２】
第２の発明は、鍋を加熱する加熱手段と、前記加熱手段を駆動する加熱駆動手段と、炊飯器の動作を制御するマイクロコンピュータと、炊飯器の動作状態を表示する液晶表示装置と、商用交流電源を直流電圧に変換し少なくとも前記マイクロコンピュータに電力を供給する第１の電源手段と、前記第１の電源手段の出力電圧を、抵抗とスイッチ素子の直列回路を並列に接続した略等しい分圧抵抗を少なくとも３個以上直列に接続して分圧し、その分圧した電圧を液晶表示装置の駆動電圧として前記マイクロコンピュータに供給する液晶電源手段と、前記第１の電源手段に接続され前記第１の電源手段からの電力を充電し、商用電源が無いときに少なくとも前記マイクロコンピュータと前記液晶電源手段に電力を供給する電圧保持手段とを備え、前記スイッチ素子は、前記第１の電源手段から前記液晶電源手段への電力の供給がない状態では非通電状態になるようにすることにより、商用電源から第１の電源手段に電力を供給している間は、スイッチ素子が通電状態になっているので分圧抵抗にはスイッチ素子と直列に接続している抵抗が並列に接続され、合成抵抗値は分圧抵抗だけの抵抗値よりも小さくできるようになり、液晶表示装置の表示をムラなく鮮明に表示させることができる。
【００１３】
第３の発明は、特に、第１の発明または第２の発明の炊飯器において、第１の電源手段は、少なくとも前記マイクロコンピュータに電力を供給する出力電圧Ｖ１と少なくとも前記加熱駆動手段に電力を供給する出力電圧Ｖ２を出力する構成とし、前記スイッチ素子は、前記第１の電源手段のＶ２出力から電力を供給するように接続され、第１の電源手段のＶ２出力からの電力の供給があると通電状態になり、電力の供給がなくなると非通電状態となるようにすることにより、第１の電源手段から電力を供給している間だけ自動的にスイッチ素子が通電状態になっているので、分圧抵抗にはスイッチ素子と直列に接続している抵抗が並列に接続され、合成抵抗値は分圧抵抗だけの抵抗値よりも小さくできるようになり、液晶表示装置の表示をムラなく鮮明に表示させることができる。
【００１４】
第４の発明は、特に、第１の発明または第２の発明の炊飯器において、商用交流電源の停電を検知する停電検知手段を備え、前記マイクロコンピュータは停電検知手段の出力に応じて前記スイッチ手段を通電もしくは非通電状態に制御するようにすることにより、炊飯器が商用電源に接続されている間はスイッチ素子を通電状態にし、分圧抵抗にはスイッチ素子と直列に接続している抵抗が並列に接続され、合成抵抗値は分圧抵抗だけの抵抗値よりも小さくできるようになり、液晶表示装置の表示をムラなく鮮明に表示させることができる。
【００１５】
第５の発明は、特に第１〜第４のいずれか１つの発明の炊飯器において、スイッチ素子と直列に接続された抵抗は、並列に接続された分圧抵抗よりも抵抗値を小さくすることにより、商用電源から第１の電源手段に電力を供給している間は、スイッチ素子が通電状態になっているので分圧抵抗にはスイッチ素子と直列に接続している抵抗が並列に接続され、合成抵抗値は分圧抵抗だけの抵抗値よりも十分小さくできるようになり、液晶表示装置の表示をムラなく鮮明に表示させることができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における炊飯器の主要部ブロック図を示すものである。なお、従来例と同じ構成のものは同一符号を付して一部説明を省略する。
【００１８】
図１において、マイクロコンピュータ１は商用交流電源２１により電力を供給される炊飯器を制御するもので、加熱駆動手段２２を介して鍋２３を加熱する加熱手段２４を制御する。
【００１９】
液晶表示装置２は、炊飯器の動作状態を表示するもので、マイクロコンピュータ１は、炊飯器の状態に合わせて液晶表示装置２に信号を出力する。
【００２０】
第１の電源手段８は商用交流電源２１を直流電圧に変換し、マイクロコンピュータ１に電力を供給する出力電圧Ｖ１と、加熱駆動手段２２に電力を供給する出力電圧Ｖ２を出力する。
【００２１】
バックアップ手段である電池３は出力電圧Ｖ１よりも低電圧で電力を供給するため、充電を防止するための逆流防止手段となるダイオード４を介して第１の電源手段８のＶ１出力に接続されており、商用電源が無いときに少なくとも前記マイクロコンピュータ１に電力を供給する。
【００２２】
第２の電源手段７は、第１の電源手段８のＶ１出力に接続され、商用電源２１の有無に関係なく電池３の出力電圧からダイオード４による電圧降下分を引いた電圧値にほぼ等しい電圧Ｖ３を出力するように構成されており、液晶表示装置２はＶ３出力電圧を動作電圧としている。
【００２３】
分圧抵抗９、分圧抵抗１０、分圧抵抗１１は同じ定数の抵抗値をもつ分圧抵抗であり、直列に接続され、第２の電源手段７からの出力電圧Ｖ３を３等分するように接続されている。また、分圧抵抗９には、抵抗２５とスイッチ手段であるフォトカプラ２６の出力端子を直列に接続した回路を並列に接続している。同様に、分圧抵抗１０には、抵抗２７とスイッチ手段であるフォトカプラ２８の出力端子を直列に接続した回路を並列に接続している。さらに、分圧抵抗１１には、抵抗２９とスイッチ手段であるフォトカプラ３０の出力端子を直列に接続した回路を並列に接続している。この分圧抵抗９、分圧抵抗１０、分圧抵抗１１、抵抗２５、フォトカプラ２６、抵抗２７、フォトカプラ２８、抵抗２９、フォトカプラ３０からなる回路で液晶電源手段３１を構成している。
【００２４】
このとき、分圧抵抗９と分圧抵抗１０と分圧抵抗１１は、約２００ｋΩ程度の抵抗値に設定し、抵抗２５と抵抗２７と抵抗２９は、同じ定数の抵抗値に設定し、１ｋΩ〜２０ｋΩ程度の抵抗値に設定している。
【００２５】
液晶電源手段３１は、分圧抵抗９と分圧抵抗１０と分圧抵抗１１の接続点から、第２の電源手段７からの出力電圧Ｖ３と、その電圧Ｖ３を分圧した電圧１／３×Ｖ３と２／３×Ｖ３を液晶表示装置の駆動電圧として、マイクロコンピュータ１に供給する。
【００２６】
一方、フォトカプラ２６とフォトカプラ２８とフォトカプラ３０は、信号入力端子であるダイオードを直列に接続されており、さらにフォトカプラ２６は電流制限抵抗３２を介して第１の電源手段８のＶ２出力に接続されている。
【００２７】
以上のように構成された炊飯器について、以下その動作、作用を説明する。
【００２８】
まず、炊飯器が商用交流電源２１に接続されると、第１の電源手段８は商用交流電源２１を直流電圧に変換し、出力電圧Ｖ１と出力電圧Ｖ２を出力する。出力電圧Ｖ１にはマイクロコンピュータ１と第２の電源手段７が接続しており、出力電圧Ｖ２には加熱駆動手段２２と電流制限抵抗３２が接続しているので、フォトカプラ２６とフォトカプラ２８とフォトカプラ３０の入力端子には電流制限抵抗３２を介して出力電圧Ｖ２から電流を通電する。
【００２９】
したがって、フォトカプラ２６とフォトカプラ２８とフォトカプラ３０の出力端子は通電状態になり、抵抗２５と抵抗２７と抵抗２９は、電気的にそれぞれ分圧抵抗９、分圧抵抗１０、分圧抵抗１１に並列に接続された状態となり、第２の電源手段７からの出力電圧Ｖ３を分圧する分圧抵抗の抵抗値は、ほぼ抵抗２５と抵抗２７と抵抗２９の抵抗値（１ｋΩ〜２０ｋΩ程度）となる。
【００３０】
一方、炊飯器が停電状態になると、第１の電源手段８は出力電圧Ｖ１と出力電圧Ｖ２を出力しなくなる。このときは、バックアップ手段である電池３により、第１の電源手段８のＶ１出力に接続されているマイクロコンピュータ１と第２の電源手段７に電力を供給しているが、出力電圧Ｖ２に接続されている加熱駆動手段２２と電流制限抵抗３２には電力を供給しない。
【００３１】
よってフォトカプラ２６とフォトカプラ２８とフォトカプラ３０の入力端子には電流を流さないため、フォトカプラ２６とフォトカプラ２８とフォトカプラ３０の出力端子は非通電状態になり、抵抗２５と抵抗２７と抵抗２９は、電気的にそれぞれ分圧抵抗９、分圧抵抗１０、分圧抵抗１１に非接続の状態となり、第２の電源手段７からの出力電圧Ｖ３を分圧する分圧抵抗の抵抗値は、分圧抵抗９、分圧抵抗１０、分圧抵抗１１の抵抗値（約２００ｋΩ）となり、バックアップ用の電池３から供給される電力を低減する。
【００３２】
以上のように、本実施の形態においては、第１の電源手段８は、商用交流電源２１を直流電圧に変換してマイクロコンピュータ１と第２の電源手段７に電力を供給する出力電圧Ｖ１と、加熱駆動手段２２と電流制限抵抗３２に電力を供給する出力電圧Ｖ２を出力し、液晶電源手段３１は、分圧抵抗９に抵抗２５とフォトカプラ２６の出力端子を直列に接続した回路を並列接続し、分圧抵抗１０に抵抗２７とフォトカプラ２８の出力端子を直列に接続した回路を並列接続し、分圧抵抗１１に抵抗２９とフォトカプラ３０の出力端子を直列に接続した回路を並列接続し、分圧抵抗９と分圧抵抗１０と分圧抵抗１１を直列に接続し、さらに、フォトカプラ２６とフォトカプラ２８とフォトカプラ３０の入力端子に電流制限抵抗３２を介して出力電圧Ｖ２から駆動電流を通電するように構成とすることにより、使用者が、炊飯器を使用せず、炊飯器に電源を入れていない間は、フォトカプラ２６とフォトカプラ２８とフォトカプラ３０が非通電状態になっているので、第２の電源手段７からの出力電圧Ｖ３を分圧する分圧抵抗の抵抗値は、分圧抵抗９と分圧抵抗１０と分圧抵抗１１の抵抗値（２００ｋΩ程度）となり、バックアップ用の電池３の寿命を延ばすことができ、炊飯器を使用するために、炊飯器に電源を入れると、商用電源２１から第１の電源手段８に電力を供給している間は、フォトカプラ２６とフォトカプラ２８とフォトカプラ３０が通電状態になっているので分圧抵抗９と分圧抵抗１０と分圧抵抗１１にはそれぞれ、抵抗２５と抵抗２７と抵抗２９が並列に接続され、第２の電源手段７からの出力電圧Ｖ３を分圧する分圧抵抗の抵抗値は、ほぼ抵抗２５と抵抗２７と抵抗２９の抵抗値（１ｋΩ〜２０ｋΩ程度）となり、液晶表示装置２の表示をムラなく鮮明に表示させることができる。
【００３３】
（実施の形態２）
図２は、本発明の第２の実施の形態における炊飯器の主要部ブロック図を示すものである。
【００３４】
図２において、マイクロコンピュータ１は商用交流電源２１により電力を供給される炊飯器を制御するもので、加熱駆動手段２２を介して鍋２３を加熱する加熱手段２４を制御する。
【００３５】
液晶表示装置２は、炊飯器の動作状態を表示するもので、第１の電源手段８のＶ１出力電圧を動作電圧としている。マイクロコンピュータ１は、炊飯器の状態に合わせて液晶表示装置２に信号を出力する。
【００３６】
第１の電源手段８は商用交流電源２１を直流電圧に変換し、マイクロコンピュータ１に電力を供給する出力電圧Ｖ１と、加熱駆動手段２２に電力を供給する出力電圧Ｖ２を出力する。
【００３７】
電圧保持手段であるコンデンサ３３は第１の電源手段８のＶ１出力に接続されており、出力電圧Ｖ１が供給されている間に第１の電源手段８からの電力を充電し、商用電源２１が無いときに少なくとも前記マイクロコンピュータ１と前記液晶電源手段３１に電力を供給する。
【００３８】
液晶表示装置２は、動作電圧が第１の電源手段８のＶ１出力電圧のものとしている。
【００３９】
分圧抵抗９、分圧抵抗１０、分圧抵抗１１は同じ定数の抵抗値をもつ分圧抵抗であり、直列に接続され、第１の電源手段８のＶ１出力を３等分するように接続されている。また、分圧抵抗９には、抵抗２５とスイッチ手段であるフォトカプラ２６の出力端子を直列に接続した回路を並列に接続している。同様に、分圧抵抗１０には、抵抗２７とスイッチ手段であるフォトカプラ２８の出力端子を直列に接続した回路を並列に接続している。さらに、分圧抵抗１１には、抵抗２９とスイッチ手段であるフォトカプラ３０の出力端子を直列に接続した回路を並列に接続している。この分圧抵抗９、分圧抵抗１０、分圧抵抗１１、抵抗２５、フォトカプラ２６、抵抗２７、フォトカプラ２８、抵抗２９、フォトカプラ３０からなる回路で液晶電源手段３１を構成している。
【００４０】
このとき、分圧抵抗９と分圧抵抗１０と分圧抵抗１１は、約２００ｋΩ程度の抵抗値に設定し、抵抗２５と抵抗２７と抵抗２９は、同じ定数の抵抗値に設定し、１ｋΩ〜２０ｋΩ程度の抵抗値に設定している。
【００４１】
液晶電源手段３１は、分圧抵抗９と分圧抵抗１０と分圧抵抗１１の接続点から、第１の電源手段８のＶ１出力からの電圧Ｖ１と、その電圧Ｖ１を分圧した電圧１／３×Ｖ１と２／３×Ｖ１を液晶表示装置の駆動電圧として、マイクロコンピュータ１に供給する。
【００４２】
一方、フォトカプラ２６とフォトカプラ２８とフォトカプラ３０は、信号入力端子であるダイオードを直列に接続されており、さらにフォトカプラ２６は電流制限抵抗３２を介して第１の電源手段８のＶ２出力に接続されている。
【００４３】
以上のように構成された炊飯器について、以下その動作、作用を説明する。
【００４４】
まず、炊飯器が商用交流電源２１に接続されると、第１の電源手段８は商用交流電源２１を直流電圧に変換し、出力電圧Ｖ１と出力電圧Ｖ２を出力する。出力電圧Ｖ１にはマイクロコンピュータ１と液晶電源手段３１とコンデンサ３３が接続しており、出力電圧Ｖ２には加熱駆動手段２２と電流制限抵抗３２が接続しているので、フォトカプラ２６とフォトカプラ２８とフォトカプラ３０の入力端子には電流制限抵抗３２を介して出力電圧Ｖ２から電流を通電する。
【００４５】
したがって、フォトカプラ２６とフォトカプラ２８とフォトカプラ３０の出力端子は通電状態になり、抵抗２５と抵抗２７と抵抗２９は、電気的にそれぞれ分圧抵抗９、分圧抵抗１０、分圧抵抗１１に並列に接続された状態となり、第２の電源手段７からの出力電圧Ｖ３を分圧する分圧抵抗の抵抗値は、ほぼ抵抗２５と抵抗２７と抵抗２９の抵抗値（１ｋΩ〜２０ｋΩ程度）となる。また、コンデンサ３３には、出力電圧Ｖ１から電力を充電している。
【００４６】
一方、炊飯器が停電状態になると、第１の電源手段８は出力電圧Ｖ１と出力電圧Ｖ２を出力しなくなる。このときは、電圧保持手段であるコンデンサ３３により、第１の電源手段８のＶ１出力に接続されているマイクロコンピュータ１と液晶電源手段３１に電力を供給しているが、出力電圧Ｖ２に接続されている加熱駆動手段２２と電流制限抵抗３２には電力を供給しない。
【００４７】
よってフォトカプラ２６とフォトカプラ２８とフォトカプラ３０の入力端子には電流を流さないため、フォトカプラ２６とフォトカプラ２８とフォトカプラ３０の出力端子は非通電状態になり、抵抗２５と抵抗２７と抵抗２９は、電気的にそれぞれ分圧抵抗９、分圧抵抗１０、分圧抵抗１１に非接続の状態となり、第２の電源手段７からの出力電圧Ｖ３を分圧する分圧抵抗の抵抗値は、分圧抵抗９、分圧抵抗１０、分圧抵抗１１の抵抗値（約２００ｋΩ）となり、電圧保持手段であるコンデンサ３３から供給される電力を低減する。
【００４８】
以上のように、本実施の形態においては、第１の電源手段８は、商用交流電源２１を直流電圧に変換してマイクロコンピュータ１と液晶電源手段３１に電力を供給する出力電圧Ｖ１と、加熱駆動手段２２と電流制限抵抗３２とコンデンサ３３に電力を供給する出力電圧Ｖ２を出力し、液晶電源手段３１は、分圧抵抗９に抵抗２５とフォトカプラ２６の出力端子を直列に接続した回路を並列接続し、分圧抵抗１０に抵抗２７とフォトカプラ２８の出力端子を直列に接続した回路を並列接続し、分圧抵抗１１に抵抗２９とフォトカプラ３０の出力端子を直列に接続した回路を並列接続し、分圧抵抗９と分圧抵抗１０と分圧抵抗１１を直列に接続し、さらに、フォトカプラ２６とフォトカプラ２８とフォトカプラ３０の入力端子に電流制限抵抗３２を介して出力電圧Ｖ２から駆動電流を通電するように構成とすることにより、使用者が、炊飯器を使用せず、炊飯器に電源を入れていない間は、フォトカプラ２６とフォトカプラ２８とフォトカプラ３０が非通電状態になっているので、第１の電源手段８のＶ１出力からの電圧Ｖ１を分圧する分圧抵抗の抵抗値は、分圧抵抗９と分圧抵抗１０と分圧抵抗１１の抵抗値（２００ｋΩ程度）となり、電圧保持用のコンデンサ３３の保持時間を延ばすことができ、炊飯器を使用するために、炊飯器に電源を入れると、商用電源２１から第１の電源手段８に電力を供給している間は、フォトカプラ２６とフォトカプラ２８とフォトカプラ３０が通電状態になっているので分圧抵抗９と分圧抵抗１０と分圧抵抗１１にはそれぞれ、抵抗２５と抵抗２７と抵抗２９が並列に接続され、第２の電源手段７からの出力電圧Ｖ３を分圧する分圧抵抗の抵抗値は、ほぼ抵抗２５と抵抗２７と抵抗２９の抵抗値（１ｋΩ〜２０ｋΩ程度）となり、液晶表示装置２の表示をムラなく鮮明に表示させることができる。
【００４９】
（実施の形態３）
図３は、本発明の第３の実施の形態における炊飯器の主要部ブロック図を示すものである。
【００５０】
図３において、マイクロコンピュータ１は商用交流電源２１により電力を供給される炊飯器を制御するもので、加熱駆動手段２２を介して鍋２３を加熱する加熱手段２４を制御する。
【００５１】
液晶表示装置２は、炊飯器の動作状態を表示するもので、マイクロコンピュータ１は、炊飯器の状態に合わせて液晶表示装置２に信号を出力する。
【００５２】
第１の電源手段８は商用交流電源２１を直流電圧に変換し、マイクロコンピュータ１に電力を供給する出力電圧Ｖ１と、加熱駆動手段２２に電力を供給する出力電圧Ｖ２を出力する。
【００５３】
バックアップ手段である電池３は出力電圧Ｖ１よりも低電圧で電力を供給するため、充電を防止するための逆流防止手段となるダイオード４を介して第１の電源手段８のＶ１出力に接続されており、商用電源が無いときに少なくとも前記マイクロコンピュータ１に電力を供給する。
【００５４】
第２の電源手段７は、第１の電源手段８のＶ１出力に接続され、商用電源２１の有無に関係なく電池３の出力電圧からダイオード４による電圧降下分を引いた電圧値にほぼ等しい電圧Ｖ３を出力するように構成されており、液晶表示装置２はＶ３出力電圧を動作電圧としている。
【００５５】
分圧抵抗９、分圧抵抗１０、分圧抵抗１１は同じ定数の抵抗値をもつ分圧抵抗であり、直列に接続され、第２の電源手段７からの出力電圧Ｖ３を３等分するように接続されている。また、分圧抵抗９には、抵抗２５とスイッチ手段であるフォトカプラ２６の出力端子を直列に接続した回路を並列に接続している。同様に、分圧抵抗１０には、抵抗２７とスイッチ手段であるフォトカプラ２８の出力端子を直列に接続した回路を並列に接続している。さらに、分圧抵抗１１には、抵抗２９とスイッチ手段であるフォトカプラ３０の出力端子を直列に接続した回路を並列に接続している。この分圧抵抗９、分圧抵抗１０、分圧抵抗１１、抵抗２５、フォトカプラ２６、抵抗２７、フォトカプラ２８、抵抗２９、フォトカプラ３０からなる回路で液晶電源手段３１を構成している。
【００５６】
このとき、分圧抵抗９と分圧抵抗１０と分圧抵抗１１は、約２００ｋΩ程度の抵抗値に設定し、抵抗２５と抵抗２７と抵抗２９は、同じ定数の抵抗値に設定し、１ｋΩ〜２０ｋΩ程度の抵抗値に設定している。
【００５７】
液晶電源手段３１は、分圧抵抗９と分圧抵抗１０と分圧抵抗１１の接続点から、第２の電源手段７からの出力電圧Ｖ３と、その電圧Ｖ３を分圧した電圧１／３×Ｖ３と２／３×Ｖ３を液晶表示装置の駆動電圧として、マイクロコンピュータ１に供給する。
【００５８】
一方、フォトカプラ２６とフォトカプラ２８とフォトカプラ３０は、信号入力端子であるダイオードを直列に接続されており、さらにフォトカプラ２６は電流制限抵抗３２を介して第１の電源手段８のＶ１出力に接続されて、フォトカプラ３０は、トランジスタ３４に接続されている。
【００５９】
停電検知手段３５は、商用交流電源２１に接続され、商用交流電源２１の通電状態を監視して、通電状態をマイクロコンピュータ１に出力する。マイクロコンピュータ１は、その信号を入力し、商用交流電源２１が通電状態である信号のときはトランジスタ３４を通電状態になる信号を出力し、商用交流電源２１が停電状態である信号のときはトランジスタ３４を非通電状態になる信号を出力する。
【００６０】
以上のように構成された炊飯器について、以下その動作、作用を説明する。
【００６１】
まず、炊飯器が商用交流電源２１に接続されると、第１の電源手段８は商用交流電源２１を直流電圧に変換し、出力電圧Ｖ１と出力電圧Ｖ２を出力する。出力電圧Ｖ１にはマイクロコンピュータ１と第２の電源手段７と流制限抵抗３２が接続しており、出力電圧Ｖ２には加熱駆動手段２２が接続しているので、フォトカプラ２６とフォトカプラ２８とフォトカプラ３０の入力端子には電流制限抵抗３２を介して出力電圧Ｖ１から電流を通電する。
【００６２】
停電検知手段３５は、商用交流電源２１が通電状態である信号をマイクロコンピュータ１に出力するので、マイクロコンピュータ１はトランジスタ３４を通電状態になる信号を出力する。
【００６３】
したがって、フォトカプラ２６とフォトカプラ２８とフォトカプラ３０の出力端子は通電状態になり、抵抗２５と抵抗２７と抵抗２９は、電気的にそれぞれ分圧抵抗９、分圧抵抗１０、分圧抵抗１１に並列に接続された状態となり、第２の電源手段７からの出力電圧Ｖ３を分圧する分圧抵抗の抵抗値は、ほぼ抵抗２５と抵抗２７と抵抗２９の抵抗値（１ｋΩ〜２０ｋΩ程度）となる。
【００６４】
一方、炊飯器が停電状態になると、第１の電源手段８は出力電圧Ｖ１と出力電圧Ｖ２を出力しなくなる。このときは、バックアップ手段である電池３により、第１の電源手段８のＶ１出力に接続されているマイクロコンピュータ１と第２の電源手段７と電流制限抵抗３２に電力を供給しているが、出力電圧Ｖ２に接続されている加熱駆動手段２２には電力を供給しない。
【００６５】
停電検知手段３５は、商用交流電源２１が停電状態である信号をマイクロコンピュータ１に出力するので、マイクロコンピュータ１はトランジスタ３４を非通電状態になる信号を出力する。
【００６６】
よってフォトカプラ２６とフォトカプラ２８とフォトカプラ３０の入力端子には電流を流さないため、フォトカプラ２６とフォトカプラ２８とフォトカプラ３０の出力端子は非通電状態になり、抵抗２５と抵抗２７と抵抗２９は、電気的にそれぞれ分圧抵抗９、分圧抵抗１０、分圧抵抗１１に非接続の状態となり、第２の電源手段７からの出力電圧Ｖ３を分圧する分圧抵抗の抵抗値は、分圧抵抗９、分圧抵抗１０、分圧抵抗１１の抵抗値（約２００ｋΩ）となり、バックアップ用の電池３から供給される電力を低減する。
【００６７】
以上のように、本実施の形態においては、第１の電源手段８は、商用交流電源２１を直流電圧に変換してマイクロコンピュータ１と第２の電源手段７と電流制限抵抗３２に電力を供給する出力電圧Ｖ１と、加熱駆動手段２２に電力を供給する出力電圧Ｖ２を出力し、液晶電源手段３１は、分圧抵抗９に抵抗２５とフォトカプラ２６の出力端子を直列に接続した回路を並列接続し、分圧抵抗１０に抵抗２７とフォトカプラ２８の出力端子を直列に接続した回路を並列接続し、分圧抵抗１１に抵抗２９とフォトカプラ３０の出力端子を直列に接続した回路を並列接続し、分圧抵抗９と分圧抵抗１０と分圧抵抗１１を直列に接続し、さらに、フォトカプラ２６とフォトカプラ２８とフォトカプラ３０の入力端子に電流制限抵抗３２とトランジスタ３４を介して、駆動電流を通電するように構成とし、トランジスタ３４は、停電検知手段３５からの出力に応じて通電状態か非通電状態に切換える構成とすることにより、使用者が、炊飯器を使用せず、炊飯器に電源を入れていない間は、フォトカプラ２６とフォトカプラ２８とフォトカプラ３０が非通電状態になっているので、第２の電源手段７からの出力電圧Ｖ３を分圧する分圧抵抗の抵抗値は、分圧抵抗９と分圧抵抗１０と分圧抵抗１１の抵抗値（２００ｋΩ程度）となり、バックアップ用の電池３の寿命を延ばすことができ、炊飯器を使用するために、炊飯器に電源を入れると、商用電源２１から第１の電源手段８に電力を供給している間は、フォトカプラ２６とフォトカプラ２８とフォトカプラ３０が通電状態になっているので分圧抵抗９と分圧抵抗１０と分圧抵抗１１にはそれぞれ、抵抗２５と抵抗２７と抵抗２９が並列に接続され、第２の電源手段７からの出力電圧Ｖ３を分圧する分圧抵抗の抵抗値は、ほぼ抵抗２５と抵抗２７と抵抗２９の抵抗値（１ｋΩ〜２０ｋΩ程度）となり、液晶表示装置の表示をムラなく鮮明に表示させることができる。
【００６８】
さらに、マイクロコンピュータは、停電検知手段３５からの信号に関係なく、トランジスタ３４を非通電状態にすることにより、商用交流電源２１が通電状態ででも炊飯器の状態により、自由に分圧抵抗の抵抗値を切換えることができる。
【産業上の利用可能性】
【００６９】
以上のように、本発明にかかる炊飯器は、操作使用時に商用交流電源に接続され通電している間は、液晶表示装置の駆動電圧を発生する液晶電源手段を構成する分圧抵抗の抵抗値を小さくし、液晶表示装置の表示をムラなく鮮明に表示させることができるので、家庭用途のみならず業務用途の炊飯器や、バックアップ機能の付いた液晶表示装置付きの調理機器などの用途にも応用できる。
【図面の簡単な説明】
【００７０】
【図１】本発明の実施の形態１における炊飯器の主要部ブロック図
【図２】本発明の実施の形態２における炊飯器の主要部ブロック図
【図３】本発明の実施の形態３における炊飯器の主要部ブロック図
【図４】従来の炊飯器の主要部ブロック図
【符号の説明】
【００７１】
１  マイクロコンピュータ
２  液晶表示装置
３  電池（バックアップ手段）
４  ダイオード（逆流防止手段）
７  第２の電源手段
８  第１の電源手段
９、１０、１１  分圧抵抗
２１  商用交流電源
２２  加熱駆動手段
２３  鍋
２４  加熱手段
２５  抵抗
２６  フォトカプラ（スイッチ手段）
２７  抵抗
２８  フォトカプラ（スイッチ手段）
２９  抵抗
３０  フォトカプラ（スイッチ手段）
３１  液晶電源手段
３２  電流制限抵抗
【図４】
2006326142.tif 000003
【図１】
2006326142.tif 000004
【図２】
2006326142.tif 000005
【図３】
2006326142.tif 000006